(57)【要約】      （修正有）【課題】統一された用語で簡易に所見を入力可能にする所見入力支援装置を提供する。【解決手段】検査室内で用いられる所見入力支援装置３は、表示部と、表示部に問診表を表示するための問診情報を記憶するための問診情報記憶部３５１と、支援情報を予め記憶する支援情報記憶部３５２と、問診表に対する回答を入力する際に操作される操作部と、医療従事者より音声の入力を受け付ける音声入力部３２と、制御部３０とを含む。支援情報は、管腔臓器の複数の部位名データと、複数の病名データと、病名データに関連付けられた複数の性状データとを含む。制御部３０は、内視鏡検査の際に、支援情報に基づいて順次、部位選択画面、病名選択画面、および性状選択画面を表示部に表示し、医療従事者が音声を入力することにより選択された部位名、病名、および性状を、それぞれの画面において強調表示する。【選択図】図５
0003194808.tif 000002
【実用新案登録請求の範囲】
【請求項１】
生体の管腔臓器の内視鏡検査における所見入力を支援するための装置であって、
表示部と、
前記表示部に問診表を表示するための問診情報を記憶する問診情報記憶部と、
前記管腔臓器を構成する複数の部位名をそれぞれ特定するための複数の部位名データと、前記管腔臓器に起こり得る複数の病気をそれぞれ特定するための複数の病名データと、前記病名データに関連付けられ、病気の性状を特定するための性状データとを含む支援情報を予め記憶するための支援情報記憶部と、
前記問診表に対する回答を入力する際に操作される操作部と、
医療従事者より音声の入力を受け付ける音声入力部と、
内視鏡検査の際に、前記支援情報記憶部に記憶された前記支援情報に基づいて順次、部位選択画面、病名選択画面、および性状選択画面を前記表示部に表示し、医療従事者が前記音声入力部に音声を入力することにより選択された部位名、病名、および性状を、それぞれの画面において強調表示する制御部とを備える、所見入力支援装置。
【請求項２】
内視鏡検査による検査結果を記憶するための検査結果記憶部をさらに備え、
前記制御部は、医療従事者により選択された部位名、病名、および性状が互いに関連付けられた所見入力データを、前記検査結果記憶部に記録する処理を行う、請求項１に記載の所見入力支援装置。
【請求項３】
前記制御部は、内視鏡検査の前に、前記問診情報記憶部に記憶された前記問診情報に基づいて前記表示部に問診表を表示し、前記操作部を介して患者から入力された回答データを、前記検査結果記憶部に記録する処理をさらに行う、請求項２に記載の所見入力支援装置。
【請求項４】
前記制御部は、医療従事者により性状が選択されると、前記部位選択画面を再度表示し、前記部位選択画面の表示中に他の部位名が選択される度に、前記病名選択画面および前記性状選択画面を繰り返し表示する、請求項２または３に記載の所見入力支援装置。
【請求項５】
前記部位選択画面は、前記複数の部位名データに基づく部位名情報を表示する領域と、入力済の所見入力データに基づく所見入力情報を表示する領域とを含む、請求項２〜４のいずれかに記載の所見入力支援装置。
【請求項６】
前記支援情報は、前記病名データに関連付けられた、診断名データおよび処置名データをさらに含み、
前記制御部は、前記性状選択画面に、選択された病名に対応する診断名および処置名の候補をさらに表示し、
前記所見入力データは、医療従事者により選択された診断名および処置名を含む、請求項２〜５のいずれかに記載の所見入力支援装置。
【請求項７】
患者がサインした同意書を撮影する撮像部をさらに備え、
前記検査結果記憶部は、前記撮像部により撮像された同意書画像データをさらに記憶する、請求項２〜６のいずれかに記載の所見入力支援装置。
【請求項８】
当該所見入力支援装置は、複数の患者についての検査結果を管理する管理装置と無線または有線にて接続されており、
前記制御部は、前記検査結果記憶部に記憶された前記所見入力データを含む検査結果データを、前記管理装置に送信する処理をさらに行う、請求項２〜６のいずれかに記載の所見入力支援装置。
【考案の詳細な説明】
【技術分野】
【０００１】
本考案は、所見入力支援装置に関し、特に、生体の管腔臓器の内視鏡検査における所見入力を支援するための装置に関する。
【背景技術】
【０００２】
従来から、内視鏡を用いた生体の管腔臓器（たとえば大腸）の検査を支援するための各種技術が提案されている。
【０００３】
たとえば特開２０１３−１０６７５２号公報（特許文献１）には、複数の観察者が同時に観察画像を視認でき、内視鏡術中に、病変部についての所見を含む音声情報及び／又は文字情報を加えた電子カルテをリアルタイムで作成できる電子内視鏡システムが開示されている。
【０００４】
また、特開２００７−２０９７７０号公報（特許文献２）には、内視鏡画像から特徴量を算出し、その特徴量に基づいて、各所見を示す部位ごとに関心領域を設定し、どのような所見、あるいは所見に関連して診断される腫瘍等が存在しているか、などを知ることができる内視鏡診断支援装置が開示されている。
【０００５】
また、内視鏡を用いた検査以外でも、医療書類の作成効率を向上させるために、特開２００４−１０２５０９号公報（特許文献３）には、患者の所定部位を撮像した元画像に、患者情報、装置情報、相対座標情報、および関連情報（撮像時の処置など）を含むヘッダ情報を付加しておき、読影報告書に担当者が所見を音声入力する際に、指定された処理画像のヘッダ情報から指定される辞書ファイルを用いて音声認識することが開示されている。
【先行技術文献】
【特許文献】
【０００６】
【特許文献１】特開２０１３−１０６７５２号公報
【特許文献２】特開２００７−２０９７７０号公報
【特許文献３】特開２００４−１０２５０９号公報
【考案の概要】
【考案が解決しようとする課題】
【０００７】
内視鏡検査では、医師は、内視鏡を操作しながらモニタを見て診断を行うため、手が塞がれた状態である。したがって、一般的には、検査終了後に所見入力が行われている。しかし、大腸のような多数の部位で構成される管腔臓器を検査する場合に、全ての部位についての所見を完全に記憶しておくことは困難である。
【０００８】
これに対し、上記特許文献１では、内視鏡術中に音声にて所見を入力することができるため、上記のような不具合を解消することができる。しかし、単に、音声にて所見を入力するだけであると、医師によって用いられる用語はバラバラである可能性が高く、統一された用語で所見を入力することはできない。
【０００９】
本考案は、上記のような課題を解決するためになされたものであって、その目的は、統一された用語で簡易に所見を入力することのできる所見入力支援装置を提供することである。
【課題を解決するための手段】
【００１０】
この考案のある局面に従う所見入力支援システムは、生体の管腔臓器の内視鏡検査における所見入力を支援するための装置であって、表示部と、問診表に関する問診情報を予め記憶するための問診情報記憶部と、支援情報を予め記憶するための支援情報記憶部と、問診表に対する回答を入力する際に操作される操作部と、医療従事者より音声の入力を受け付ける音声入力部と、制御部とを備える。支援情報は、管腔臓器を構成する複数の部位名をそれぞれ特定するための複数の部位名データと、管腔臓器に起こり得る複数の病気をそれぞれ特定するための複数の病名データと、病名データに関連付けられ、病気の性状を特定するための性状データとを含む。制御部は、内視鏡検査の際に、支援情報記憶部に記憶された支援情報に基づいて順次、部位選択画面、病名選択画面、および性状選択画面を表示部に表示し、医療従事者が音声入力部に音声を入力することにより選択された部位名、病名、および性状を、それぞれの画面において強調表示する。
【００１１】
好ましくは、内視鏡検査による検査結果を記憶するための検査結果記憶部をさらに備え、制御部は、医療従事者により選択された部位名、病名、および性状が互いに関連付けられた所見入力データを、検査結果記憶部に記録する処理を行う。
【００１２】
好ましくは、制御部は、内視鏡検査の前に、問診情報記憶部に記憶された問診情報に基づいて表示部に問診表を表示し、操作部を介して患者から入力された回答データを、検査結果記憶部に記録する処理をさらに行う。
【００１３】
好ましくは、制御部は、医療従事者により性状が選択されると、部位選択画面を再度表示し、部位選択画面の表示中に他の部位名が選択される度に、病名選択画面および性状選択画面を繰り返し表示する。
【００１４】
好ましくは、部位選択画面は、複数の部位名データに基づく部位名情報を表示する領域と、入力済の所見入力データに基づく所見入力情報を表示する領域とを含む。
【００１５】
好ましくは、支援情報は、病名データに関連付けられた、診断名データおよび処置名データをさらに含み、制御部は、性状選択画面に、選択された病名に対応する診断名および処置名の候補をさらに表示する。所見入力データは、医療従事者により選択された診断名および処置名を含むことが望ましい。
【００１６】
当該所見入力支援装置は、患者がサインした同意書を撮影する撮像部をさらに備えていてもよい。この場合、検査結果記憶部は、撮像部により撮像された同意書画像データをさらに記憶することが望ましい。
【００１７】
また、当該所見入力支援装置は、複数の患者についての検査結果を管理する管理装置と無線または有線にて接続されていてもよい。この場合、制御部は、検査結果記憶部に記憶された所見入力データを含む検査結果データを、管理装置に送信する処理をさらに行う。
【考案の効果】
【００１８】
本考案によれば、統一された用語で簡易に所見を入力することができる。
【図面の簡単な説明】
【００１９】
【図１】本考案の実施の形態に係る所見入力支援システムの概略構成を模式的に示す図である。
【図２】本考案の実施の形態における管理装置のハードウェア構成例を示すブロック図である。
【図３】本考案の実施の形態における所見入力支援装置（タブレット）のハードウェア構成例を示すブロック図である。
【図４】本考案の実施の形態における管理装置の機能構成例を示すブロック図である。
【図５】本考案の実施の形態における所見入力支援装置（タブレット）の機能構成例を示すブロック図である。
【図６】本考案の実施の形態における支援情報記憶部の内容例を示す図である。
【図７】本考案の実施の形態における支援情報記憶部内に記憶された対応テーブルの一例を示す図である。
【図８】本考案の実施の形態における検査結果データのデータ構造例を示す図である。
【図９】本考案の実施の形態における内視鏡検査当日の診察の流れを示す図である。
【図１０】本考案の実施の形態における支援処理を示すメインルーチンのフローチャートである。
【図１１】本考案の実施の形態における予約患者データ取得処理を示すフローチャートである。
【図１２】本考案の実施の形態における問診表入力処理を示すフローチャートである。
【図１３】本考案の実施の形態における所見入力処理を示すフローチャートである。
【図１４】本考案の実施の形態における検査結果送信処理を示すフローチャートである。
【図１５】図１０のステップＳ１で表示されるメニュー画面の一例を示す図である。
【図１６】図１２のステップＳ４０１で表示される予約患者一覧画面の一例を示す図である。
【図１７】図１３のステップＳ５０１で表示される患者一覧画面の一例を示す図である。
【図１８】図１３のステップＳ５０３において表示される検査開始指示画面の一例を示す図である。
【図１９】図１３のステップＳ５０４において表示される到達部位選択画面の一例を示す図である。
【図２０】図１３のステップＳ５０５で表示される部位選択画面の一例を示す図である。
【図２１】図１３のステップＳ５０８で表示される病名選択画面の一例を示す図である。
【図２２】図１３のステップＳ５１０で表示される性状選択画面の一例を示す図である。
【図２３】図１３のステップＳ５１０で表示される性状選択画面の一例を示す図である。
【図２４】図１３のステップＳ５１０で表示される性状選択画面の一例を示す図である。
【図２５】性状選択画面の別画面の一例を示す図である。
【図２６】図１３のステップＳ５１２で表示される検査結果選択画面の一例を示す図である。
【図２７】図１４のステップＳ６０１で表示される患者一覧画面の一例を示す図である。
【図２８】管理装置において印刷される所見用紙の一例を示す図である。
【図２９】所見入力支援装置の他の構成例を示す図である。
【考案を実施するための形態】
【００２０】
本考案の実施の形態について図面を参照しながら詳細に説明する。なお、図中同一または相当部分には同一符号を付してその説明は繰返さない。
【００２１】
＜概要について＞
はじめに、図１を参照して、本実施の形態に係る所見入力支援システムＳＹＳの概要について説明する。
【００２２】
所見入力支援システムＳＹＳは、内視鏡装置１と、管理装置２と、（所見入力）支援装置３とを含む。内視鏡装置１は、生体の管腔臓器、たとえば大腸を検査する装置である。内視鏡装置１は公知の構成であってよく、挿入部１１と、操作部１２と、モニタ１３と、画像記録装置１４とを有している。管理装置２は、複数の患者の検査結果等、内視鏡検査に関する各種情報を管理する装置であり、典型的には据置型のパーソナルコンピュータにより実現される。支援装置３は、生体の管腔臓器としての大腸の内視鏡検査における所見入力を支援するための装置であり、典型的には、携帯可能なタブレット端末により実現される。以下、支援装置３を、タブレット３という。
【００２３】
図１に示されるように、内視鏡装置１とタブレット３とは、検査室内に配置されるが、管理装置２は、検査室外に配置される。なお、タブレット３は、主に検査室内で用いられるものの、検査室外でも用いられてもよい。管理装置２は、内視鏡装置１およびタブレット３と、無線または有線にて接続されている。管理装置２は、また、プリンタ５に接続されている。
【００２４】
上記構成を有する所見入力支援システムＳＹＳでは、図９に示されるように、主に次のような診察手順で内視鏡検査が行われる。
（１）患者による、タブレット３を用いた問診表の入力、（２）医療従事者による、内視鏡装置１を用いた検査、および、検査と並行して行われる、タブレット３を用いた所見入力（必須情報、周辺情報）、（３）管理装置２を用いた結果説明。
【００２５】
これに対し、一般的な内視鏡検査の診察手順は、主に次の通りである。
（１）患者による、紙ベースでの問診表の記入、（２）医療従事者による、管理装置への問診表の登録、（３）内視鏡装置１を用いた検査、（４）医療従事者による、管理装置への所見入力（必須情報のみ）、（５）管理装置を用いた結果説明。
【００２６】
両者を比較して明らかなように、本実施の形態に係る所見入力支援システムＳＹＳは、内視鏡検査と並行して所見入力ができる点で、検査・治療以外での診察時間の短縮を可能としている。また、必須情報だけでなく周辺情報の所見入力もできるため、正確な統計処理にも役立つ。
【００２７】
以下に、このような所見入力支援システムＳＹＳを実現するための各装置の構成および動作について、詳細に説明する。
【００２８】
＜構成について＞
（管理装置のハードウェア構成）
図２を参照して、管理装置２は、一般的なパーソナルコンピュータと同様の構成であってよく、各種演算処理を行う制御部２０と、ユーザからの指示を受け付けるための操作部２１と、各種情報を表示する表示部２２と、各種データやプログラムを記憶するメモリ２３と、不揮発性の記憶装置としてのハードディスク（ＨＤ）２４と、日時を計時する計時部２５と、ネットワーク通信のための通信部２６と、接続された外部機器との間で情報を入出力する入出力部２７とを含む。制御部２０は、たとえばＣＰＵ（Central Processing Unit）により実現される。操作部２１は、たとえばキーボードにより実現される。入出力部２７は、プリンタ５に接続されている。
【００２９】
（タブレットのハードウェア構成）
図３を参照して、タブレット３は、一般的なタブレット端末と同様の構成であってよく、各種演算処理を行う制御部３０と、マイクロフォン３１を介して音声を入力し、音声をテキストデータに変換して制御部３０に与える音声入力部３２と、操作部３３および表示部３４の両機能を備えるタッチパネル３８と、各種データやプログラムを記憶する不揮発性のメモリ３５と、日時を計時する計時部３６と、ネットワーク通信のための通信部３７とを含む。制御部３０も、たとえばＣＰＵにより実現される。操作部３３および音声入力部３２は、ともに、ユーザからの指示を受け付けるための指示入力部として機能する。
【００３０】
（管理装置の機能構成）
図４を参照して、管理装置２の機能構成例について説明する。管理装置２は、機能構成として、送出処理部２０１と、登録処理部２０２と、変更処理部２０３と、出力処理部２０４と、統計処理部２０５と、予約患者記憶部２４１と、検査結果データベース（ＤＢ）２４２とを含む。
【００３１】
送出処理部２０１は、予約患者記憶部２４１に記憶された複数の予約患者データを読み出して、タブレット３へ送出する処理を行う。予約患者データは、検査予定日と、検査予定の患者を特定するための患者特定データ（氏名、性別、年齢、および生年月日）とを含む。このような予約患者データは、操作部２１の操作等によって事前に予約患者記憶部２４１に登録されている。
【００３２】
登録処理部２０２は、検査後の複数の患者の検査結果データを検査結果データベース２４２に登録する処理を行う。具体的には、タブレット３から得られる検査結果データや、内視鏡装置１の画像記録装置１４から得られる画像データを、検査結果データベース２４２に格納する。検査結果データの構造例については、後述する。
【００３３】
変更処理部２０３は、検査結果データベース２４２に格納されている検査結果データの内容を変更および追加する処理を行う。具体的には、検査結果データベース２４２内に記憶された画像データの一部を、検査結果データに追加する処理などが行われる。
【００３４】
出力処理部２０４は、検査結果データベース２４２に格納されている検査結果データに基づいて、患者ごとに検査結果を出力する処理を行う。具体的には、検査結果データベース２４２に格納されている複数の検査結果データの中から指定された検査結果データに応じた内容の所見用紙を、プリンタ５に印刷させる。
【００３５】
統計処理部２０５は、検査結果データベース２４２に格納されている複数の検査結果データの統計処理を行う。統計処理は、データの分析処理を含む。
【００３６】
なお、上記した５つの処理部２０１〜２０５の機能は、図２に示した制御部２０がソフトウェアを実行することで実現されてもよいし、これらのうちの少なくとも１つは、ハードウェアにより実現されてもよい。また、予約患者記憶部２４１および検査結果データベース２４２は、図２に示したハードディスク２４に含まれてよい。
【００３７】
（タブレットの機能構成）
図５を参照して、タブレット３の機能構成例について説明する。タブレット３は、機能構成として、取得処理部３０１と、問診入力処理部３０２と、所見入力処理部３０３と、送信処理部３０４と、問診情報記憶部３５１と、支援情報記憶部３５２と、予約患者記憶部３５３と、検査結果記憶部３５４とを含む。
【００３８】
問診情報記憶部３５１は、表示部３４に問診表を表示するための問診情報を記憶している。具体的には、患者による入力用の問診表に関する情報（以下「患者用問診情報」という）を予め記憶している。医師等の医療従事者による入力用の問診表に関する情報（以下「医師用問診情報」という）をさらに記憶していてもよい。
【００３９】
なお、問診表に含まれる質問事項は、病院によって異なることも想定されるため、各問診情報は、病院ごとにカスタマイズ可能であることが望ましい。この場合、管理装置２において各病院に応じた問診情報を生成または変更し、問診情報記憶部３５１の問診情報を更新できるようにしてもよい。また、複数言語の問診情報が記憶されていてもよい。
【００４０】
支援情報記憶部３５２は、医療従事者による所見入力を支援するための支援情報を予め記憶している。支援情報は、辞書情報とも定義され、大腸を構成する複数の部位名をそれぞれ特定するための複数の部位名データと、大腸に起こり得る複数の病気をそれぞれ特定するための複数の病名データと、病気の性状を特定するための複数の性状データと、複数の診断名データと、複数の処置名データとを含む。そのため、図６に示されるように、支援情報記憶部３５２は、それぞれのデータを格納する部位名ファイル６１、病名ファイル６２、性状ファイル６３、診断名ファイル６４、および処置名ファイル６５を含んでいる。
【００４１】
部位名ファイル６１に記録された各部位名データは、たとえば、部位ＩＤ（たとえばＰ００１，Ｐ００２，・・・）と、部位名を示す文字データとで構成される。病名ファイル６２に記録された各病名データは、たとえば、病名ＩＤ（たとえばＩ００１，Ｉ００２，・・・）と、病名を示す文字データとで構成される。性状ファイル６３に記録された各性状データは、たとえば、性状分類ＩＤ（たとえばＣ００１，Ｃ００２，・・・）と、性状分類を示す文字データと、性状分類に対応する複数の類型をそれぞれ示す複数の文字データと、性状分類が必須入力項目か否かを示す必須フラグとで構成される。必須フラグは、たとえば、必須の場合「１」、任意の場合「０」を記録する。診断名ファイル６４に記録された各診断名データは、たとえば、診断名ＩＤ（たとえばＤ００１，Ｄ００２，・・・）と、診断名を示す文字データとで構成される。処置名ファイル６５に記録された各処置名データは、たとえば、処置名ＩＤ（たとえばＯ００１，Ｏ００２，・・・）と、処置名を示す文字データとで構成される。
【００４２】
ここで、支援情報記憶部３５２には、性状分類と、診断名と、処置名とが、どの病名に対応するかを定めた対応テーブル６６が、予め記憶されている。図７を参照して、対応テーブル６６には、病名ＩＤごとに、対応する性状分類ＩＤ、診断名ＩＤおよび処置名ＩＤが記録されている。病名「その他」に対応する病名ＩＤ：Ｉ０１４には、性状分類ＩＤ、診断名ＩＤおよび処置名ＩＤは対応付けられていない。また、病気の種類に応じて、診断名ＩＤが対応付けられていない病名ＩＤや、処置名ＩＤが対応付けられていない病名ＩＤも含まれる。なお、本実施の形態では、対応テーブル６６を用いて、病名データと、性状分類データ、診断名データおよび処置名データとを関連付けることとしたが、他の公知の方法によってこれらのデータを関連付けることとしてもよい。
【００４３】
再び図５を参照して、取得処理部３０１は、管理装置２から予約患者データを取得する処理を実行する。取得処理部３０１は、取得した予約患者データを、予約患者記憶部３５３に格納する。
【００４４】
問診入力処理部３０２は、問診情報記憶部３５１に予め記憶された患者または医師用問診情報に基づいて、問診表入力のための処理を実行する。具体的には、タッチパネル３８に問診表を表示し、患者または医療従事者に回答を入力させる。問診入力処理部３０２は、入力された回答データ（以下「問診入力データ」という）を、検査結果記憶部３５４に記録する。
【００４５】
所見入力処理部３０３は、支援情報記憶部３５２に予め記憶された支援情報に基づいて、所見入力のための処理を実行する。具体的には、ユーザ（医療従事者）により検査開始の指示が入力された場合に、支援情報記憶部３５２に記憶された支援情報に基づいて順次、部位選択画面、病名選択画面、および病名に対応する性状選択画面をタッチパネル３８に表示する。また、ユーザにより選択された部位名、病名、および性状が関連付けられた所見入力データを、検査結果記憶部３５４に記録する。
【００４６】
検査結果記憶部３５４には、患者ごとに検査結果が記憶される。具体的には、患者ＩＤに対応付けて検査結果データが記憶される。図８に示されるように、各検査結果データは、上記した問診入力データおよび所見入力データを少なくとも含み、望ましくは、時間データおよび担当医データも含む。時間データは、検査開始時刻、盲腸到達時刻、および検査終了時刻を含む。図９に示されるように、このような時間データから、挿入時間、観察時間、および総処置時間を算出することができる。挿入時間は、検査開始時刻から盲腸到達時刻までの時間を示し、観察時間は、盲腸到達時刻から検査終了時刻までの時間を示す。また、総処置時間は、検査開始時刻から検査終了時刻までの時間を示す。なお、時間データは、検査開始時刻および検査終了時刻のみを含んでもよい。
【００４７】
送信処理部３０４は、検査結果記憶部３５４に記憶された検査結果データを管理装置２に送信する処理を行う。具体的には、検査結果記憶部３５４に記憶された複数患者の検査結果データから、指定された患者の検査結果データを読み出して、管理装置２に送信する。
【００４８】
なお、上記した４つの処理部３０１〜３０４の機能は、図３に示した制御部３０がソフトウェアを実行することで実現されてもよいし、これらのうちの少なくとも１つは、ハードウェアにより実現されてもよい。また、４つの記憶部３５１〜３５４は、いずれも、図３に示したメモリ３５に含まれてよい。
【００４９】
＜動作について＞
次に、所見入力支援システムＳＹＳの動作について説明する。
【００５０】
図１０は、タブレット３において実行される支援処理のメインルーチンを示すフローチャートである。図１０に示す支援処理は、制御部３０がメモリ３５に予め格納されたプログラムを読み出して実行することによって実現される。なお、図１０の処理は、タッチパネル３８に表示された初期画面に、所定のログインＩＤとパスワードとが入力され、ユーザ認証された場合に、開始される。
【００５１】
タブレット３の制御部３０は、はじめに、メニュー画面をタッチパネル３８に表示する（ステップＳ（以下「Ｓ」と略す）１）。メニュー画面の一例を図１５に示す。図１５に示されるように、メニュー画面には、タブレット３が有する各種機能を実行するためのボタンＢＴ１〜ＢＴ４が表示されている。ボタンＢＴ１は、問診表入力の機能の実行を制御部３０に指示する。ボタンＢＴ２は、所見入力の機能の実行を制御部３０に指示する。ボタンＢＴ３は、予約患者データを取得する機能の実行を制御部３０に指示する。ボタンＢＴ４は、検査結果送信の機能の実行を制御部３０に指示する。
【００５２】
上記４つのボタンＢＴ１〜ＢＴ４のうちのいずれかが選択されると（Ｓ２）、制御部３０は、選択されたボタンに対応する機能を実行する。具体的には、ボタンＢＴ３が選択されると、予約患者データ取得処理が実行される（Ｓ３）。ボタンＢＴ１が選択されると、問診表入力処理が実行される（Ｓ４）。ボタンＢＴ２が選択されると、所見入力処理が実行される（Ｓ５）。ボタンＢＴ４が選択されると、検査結果送信処理が実行される（Ｓ６）。
【００５３】
各処理が終わると、Ｓ１に戻り、再びメニュー画面が表示される。上記ステップＳ３〜Ｓ６の処理は、それぞれ、図１１〜図１４にサブルーチンを挙げて説明する。
【００５４】
なお、図１５に示したメニュー画面には、図示したボタン以外にも、参考画像を表示するための参考画像ボタン、ログイン情報や内視鏡番号など管理装置２でメンテナンス可能なマスタ情報をタブレット３に取り込むためのマスタデータ取得ボタン、あるいは、各種設定のための設定ボタンなどが表示されてもよい。
【００５５】
（予約患者データ取得処理）
図１１は、予約患者データ取得処理を示すフローチャートである。
【００５６】
図１１を参照して、タブレット３の取得処理部３０１は、通信部３７を介して、管理装置２に対し当日の予約患者データの送信を要求する（Ｓ３０１）。管理装置２の通信部２６が予約患者データ要求を受信すると（Ｓ３０２）、管理装置２の送出処理部２０１は、予約患者データの送出処理を実行する。すなわち、送出処理部２０１は、予約患者記憶部２４１に記憶された当日の予約患者データを読み出し、通信部２６を介してタブレット３に送信する（Ｓ３０３，Ｓ３０４）。送出処理部２０１は、送信した予約患者データを予約患者記憶部２４１から削除してもよい。
【００５７】
タブレット３の通信部３７が、予約患者データを受信すると（Ｓ３０５）、取得処理部３０１は、受信した予約患者データを予約患者記憶部３５３に記録する（Ｓ３０６）。この処理が終わると、図１０に示したメインルーチンに戻る。
【００５８】
なお、本実施の形態では、予約患者記憶部３５３に、複数の予約患者データが記憶されたものと仮定する。
【００５９】
（問診表入力処理）
図１２は、問診表入力処理を示すフローチャートである。
【００６０】
図１２を参照して、タブレット３の問診入力処理部３０２は、予約患者記憶部３５３に記憶された複数の予約患者データを読み出して、タッチパネル３８に予約患者一覧画面を表示する（Ｓ４０１）。ここで示される予約患者一覧画面の一例が図１６に示されている。図１６を参照して、予約患者一覧画面には、予約患者一覧表７０１と、問診表入力ボタン７０２と、予約キャンセルボタン７０３とが示されている。予約患者一覧表７０１は、行ごとに、問診表（問診表入力の有無）、予約日時、患者ＩＤ、氏名、性別、年齢、および生年月日の項目を含んでいる。
【００６１】
予約患者一覧表７０１を構成する複数行のうちの一つが選択されることによって、患者が選択され（Ｓ４０２）、かつ、問診表入力ボタン７０２がタップされると、問診入力処理部３０２は、問診情報記憶部３５１に記憶された患者用問診情報に基づいて、問診表入力画面を表示する（Ｓ４０３）。なお、問診表入力ボタン７０２を選択しなくても、一つの行がダブルタップされた場合に、問診表入力画面に遷移するようにしてもよい。問診表入力画面には、診断の助けとなる様々な質問と、質問に対する回答が選択形式で表示される。
【００６２】
問診表の入力は、患者自身が、タッチパネル３８の操作部３３を操作することにより行われる（Ｓ４０４）。そのため、問診表入力画面は、入力を容易にするために、質問ごとに画面が切り替えられてもよい。また、質問に対する回答は、画面上に表示された複数の指示ボタンから１つを選択することで、入力可能としてもよい。なお、問診表の質問には、患者自身が自覚している排便の色や、患者自身が現在服用している薬の情報などが含まれていてもよい。
【００６３】
問診表の入力が完了すると、問診入力データを検査結果記憶部３５４に記録する（Ｓ４０５）。また、予約患者記憶部３５３内の対応の予約患者データに、問診表の入力が終わったことを示す情報を関連付けて記憶する。この処理が終わると、図１０に示すメインルーチンに戻る。
【００６４】
なお、内視鏡検査を行う際には、患者は紙ベースの同意書にサインをする必要があるが、タブレット３が撮像部（図示せず）を有している場合には、患者によるサイン後の同意書を撮像し、その画像データを、検査結果記憶部３５４に記憶させてもよい。つまり、検査結果記憶部３５４には、同意書画像データが、患者ＩＤと対応付けられて記憶されてもよい。
【００６５】
また、問診情報記憶部３５１に複数言語の問診情報が記憶されている場合には、問診表の入力開始時に、言語を選択可能としてもよい。
【００６６】
また、患者による問診表入力が完了した後、医療従事者により回答の補充や修正が行われてもよい。この場合は、患者による入力時のように質問ごとに画面が切り替わる必要がなく、複数の質問とその回答とが、一画面に表示されてもよい。
【００６７】
なお、予約患者一覧表７０１を構成する複数行のうちの一つが選択されて、予約キャンセルボタン７０３が選択されると、予約患者一覧表７０１からその行が削除されるとともに、制御部３０は、予約患者記憶部３５３から対応する予約患者データを削除する。
【００６８】
（所見入力処理）
図１３は、所見入力処理を示すフローチャートである。
【００６９】
図１３を参照して、タブレット３の制御部３０は、予約患者記憶部３５３に記憶された複数の予約患者データのうち、問診表の入力が済んだ患者の予約患者データのみを読み出して、タッチパネル３８に患者一覧画面を表示する（Ｓ５０１）。ここで表示される患者一覧画面の一例を、図１７に示す。図１７を参照して、患者一覧画面には、患者一覧表７１１と、所見入力ボタン７１２と、問診表修正ボタン７１３とが示されている。患者一覧表７１１は、行ごとに、検査（検査終了の有無）、予約日時、患者ＩＤ、氏名、性別、年齢、および生年月日の項目を含んでいる。
【００７０】
患者一覧表７１１を構成する複数行のうちの一つが選択されることによって、患者が選択され（Ｓ５０２）、かつ、所見入力ボタン７１２がタップされると、たとえば図１８に示すような検査開始指示画面が表示される。検査開始指示画面において、検査開始が指示されると（Ｓ５０３）、所見入力処理部３０３が作動し、検査開始時刻を、内部メモリに一時記録する。検査開始が指示されると、医療従事者は、音声入力部３２を介した音声による所見入力が可能となり、音声の録音を開始する。
【００７１】
なお、患者一覧表７１１から１人の患者が選択され、かつ、問診表修正ボタン７１３がタップされた場合には、問診入力処理部３０２が作動し、問診情報記憶部３５１に記憶された医師用問診情報と、検査結果記憶部３５４に記憶された問診入力データとを読み出して、タッチパネル３８に医師用問診表を表示する。医師用問診表において、患者により入力された回答の修正や、他の情報の追加を受け付ける。問診表修正が終了すると、問診入力処理部３０２は、検査結果記憶部３５４に記憶された問診入力データを更新する。その後、図１７に示す患者一覧画面が再度表示される。
【００７２】
ステップＳ５０３にて検査開始が指示された場合、所見入力処理部３０３は、まず、図１９に示すような到達部位選択画面を表示し、到達部位の選択を受け付ける（Ｓ５０４）。具体的には、所見入力処理部３０３は、支援情報記憶部３５２に記憶された部位名ファイル６１から複数の部位名データを読み出し、到達部位選択画面に、大腸を構成する複数の部位名（略称、記号を含む）を表示する。複数の部位名は、たとえば、大腸の形状を示した図形に重ねて表示されている。なお、読み出した各データが画面上のどの位置に表示されるかを示す位置データも、支援情報記憶部３５２に記憶されていてよい。
【００７３】
ステップＳ５０４では、図１９に示されるように、大腸の末端の部位である「盲腸」が選択される。盲腸の選択は、音声で行われてもよいし、盲腸の文字が示された領域がタップされることによって行われてもよい。所見入力処理部３０３は、到達部位が選択された時刻も、盲腸到達時刻として内部メモリに一時記録する。
【００７４】
到達部位が選択され、たとえば「部位選択」と音声入力されると、所見入力処理部３０３は、部位選択画面を表示する（Ｓ５０５）。部位選択画面の一例が、図２０に示されている。部位選択画面は、大腸の部位名情報を表示する領域７２１と、検査中に入力された所見入力情報を表示する領域７２２とを含む。部位選択画面には、検査終了ボタン７２３がさらに表示されていてもよい。
【００７５】
領域７２１には、図１９の到達部位選択画面と同様に、複数の部位名（略称、記号を含む）が、大腸の形状を示した図形上に示されている。領域７２２には、各行に、部位番号、部位名、病名、性状、診断および処置の項目を含む、所見一覧表が示されている。
【００７６】
この場合、所見入力処理部３０３は、支援情報記憶部３５２に記憶された部位名ファイル６１から複数の部位名データを読み出し、部位選択画面の領域７２１に、大腸を構成する複数の部位名（略称、記号を含む）を表示する。ここでも、複数の部位名は、たとえば、大腸の形状を示した図形に重ねて表示されている。また、所見入力処理部３０３は、検査中に入力された所見入力データを読み出し、部位選択画面の領域７２２における所見一覧表に、所見入力情報を表示する。なお、領域７２２の所見一覧表は、検査が開始された時点では、空白である。
【００７７】
部位選択画面が表示された後に、検査終了の指示がなく（Ｓ５０６にてＮＯ）、部位が音声により選択されると（Ｓ５０７）、所見入力処理部３０３は、選択された部位名を強調表示し、選択された部位名を内部メモリに一時記録する。なお、強調表示とは、選択された名称が、他の名称と識別可能に表示されることをいう。複数の名称が表形式で表示される場合には、選択された名称が記載された欄を、他の欄と識別可能に表示してもよい。具体的には、選択された名称またはその欄が、他と異なる色で表示されてもよいし、点滅表示されてもよい。
【００７８】
その後、たとえば「病名へ」と音声入力されると、所見入力処理部３０３は、病名選択画面を表示する（Ｓ５０８）。病名選択画面の一例が図２１に示されている。病名選択画面には、複数の病名が示された病名一覧表７３１が表示されている。病名一覧表７３１は、「腫瘍性」、「炎症性」、「その他」の欄を含むことが望ましい。この場合、腫瘍性の欄に、進行大腸癌、早期大腸癌、大腸ポリープ、ＬＳＴ、粘膜下腫瘍の文字が表示され、炎症性の欄に、虚血性大腸炎、潰瘍性大腸炎、クローン病、非特異性腸炎の文字が表示され、その他の欄に、大腸メラノーシス、大腸憩室症、術後大腸、内痔核、その他の文字が表示されている。
【００７９】
この場合、所見入力処理部３０３は、支援情報記憶部３５２に記憶された病名ファイル６２から複数の病名データを読み出して、画面上の所定位置に各病名（略称、記号を含む）を表示する。
【００８０】
病名選択画面には、病名が「疑い」の場合に選択される疑いボタン７３２と、選択中の部位を示す部位情報７３３とがさらに表示されていてもよい。ここでの部位情報７３３は、大腸を示す図形上に、選択した部位（たとえば盲腸）の位置が識別可能に示されている。病名選択画面には、検査結果記憶部３５４に記憶された問診入力データのうち、診断の際に考慮すべき情報があれば、それを表示するようにしてもよい。たとえば、「抗凝固剤内服中」との文字７３４が表示されてもよい。
【００８１】
病名選択画面の表示中に、音声により病名が選択されると（Ｓ５０９）、所見入力処理部３０３は、選択された病名を強調表示するとともに、直前に選択された部位名と対応付けて、選択された病名を内部メモリに一時記録する。また、疑いボタン７３２が選択された場合には、選択された病名が「疑い」であることを示す情報も、併せて一時記録する。
【００８２】
次に、「性状へ」と音声入力されると、所見入力処理部３０３は、性状選択画面を表示する（Ｓ５１０）。具体的には、支援情報記憶部３５２に記憶された対応テーブル６６に基づいて、Ｓ５０９で選択された病名のＩＤに対応する性状分類ＩＤ、診断名ＩＤおよび処置名ＩＤを抽出する。その後、支援情報記憶部３５２に記憶された性状ファイル６３、診断名ファイル６４および処置名ファイルから、抽出された性状分類ＩＤにより特定される性状分類、およびその性状分類に対応する複数の性状類型、抽出された診断名ＩＤにより特定される状診断名、ならびに、抽出された処置名ＩＤにより特定される処置名を読み出す。読み出されたこれらの情報を含む性状選択画面が、タッチパネル３８に表示される。性状分類が複数ある場合などには、性状選択画面が複数の画面に分割されてもよい。
【００８３】
ステップＳ５０９にて大腸ポリープが選択された場合の性状選択画面の一例を図２２〜図２４に示す。図２２〜図２４を参照して、性状選択画面には、性状分類一覧表７４１ａ〜７４１ｃが大きく表示され、縦列に、複数の性状分類が表示されている。大腸ポリープに関連する必須入力項目（必須情報）の性状分類としては、「形態」および「大きさ」が示され、大腸ポリープに関連する任意入力項目（周辺情報）の性状分類としては、「色調」、「表面粘膜の性状」、「ＮＢＩ  ｓｕｒｆａｃｅ  ｐａｔｔｅｒｎ」、「染色」、「Ｐｉｔ  ｐａｔｔｅｒｎ」が示されている。また、各分類に対応して、類型の候補が示されている。図示されるように、「形態」や「大きさ」の欄に、「必須」という文字が示されることで、その性状分類が必須入力項目であることが識別可能に表示されている。なお、表示中の性状分類が必須入力項目か否かを識別可能に表示する方法は、上記方法に限定されず、たとえば、必須入力項目の欄の色を任意入力項目の欄の色と変えてもよい。
【００８４】
なお、大腸ポリープの性状の必須入力項目のうち「ＮＢＩ分類」については、図２５に示すような別画面にて選択可能としてもよい。この場合、性状選択画面には、ＮＢＩ分類を選択するためのボタン７４２が表示されてもよい。
【００８５】
また、図２３および図２４に示されるように、性状選択画面の性状分類一覧表７４１ｂ，７４１ｃの縦列には、診断名の項目、および、処置名の項目もさらに示されてもよい。これらの項目の横欄には、選択された病名に対応する診断名および処置名の候補がそれぞれ表示されている。なお、性状選択画面とは別に、診断名選択画面や処置名選択画面が表示されてもよい。
【００８６】
なお、性状選択画面においても、選択された病名を示す情報７４３と、選択された部位名を示す情報７４４とが表示されることが望ましい。
【００８７】
少なくとも必須入力項目の性状分類の類型が選択されることによって、性状が選択されると（Ｓ５１１）、所見入力処理部３０３は、選択された性状類型を強調表示するとともに、選択された性状類型を、ステップＳ５０７で選択された部位名に対応付けて内部メモリに一時記録する。なお、性状類型の選択は、たとえば、性状分類名が音声入力されてから、性状類型が音声入力されることによって行われる。性状分類の選択の解除は、再度、性状分類名を音声入力してから、たとえば「解除」と音声入力されることによって行われてもよい。
【００８８】
次に、「部位選択へ」と音声入力されると、Ｓ５０５に戻り、再び部位選択画面が表示される。これにより、部位選択（Ｓ５０７）、病名選択（Ｓ５０９）、および性状選択（Ｓ５１１）を繰り返し行うことができる。所見入力が繰り返し行われると、図２０の部位選択画面の領域７２２に示される所見入力一覧に、選択された部位ごとに、病名、性状類型、診断名、および処置名が、対応付けられて表示される。
【００８９】
なお、性状分類が複数入力された場合には、性状欄に、入力された全ての性状分類の類型が表示されてもよいし、必須入力項目の性状分類の類型のみが表示されてもよい。また、病名選択画面において「疑い」が選択された場合には、病名欄には、たとえば「大腸ポリープ疑い」と表示される。
【００９０】
なお、入力済の所見を変更したい場合には、領域７２２の所見入力一覧の行を音声またはタップにより選択すると、その行の部位が選択された場合の病名選択画面に遷移するようにしてもよい。具体的には、たとえば「盲腸」の行が選択されると、図２１に示したような病名選択画面に遷移する。その後「解除」を選択すると、「大腸ポリープ」の強調表示が解除され、再び病名の選択を受け付ける。病名が再選択されると、その病名に応じた性状選択画面が表示され、上記と同様の処理が繰り返される。
【００９１】
図２０に示したような部位選択画面を表示中に、たとえば「検査終了」と音声入力されることによって検査の終了が指示されると（Ｓ５０６にてＹＥＳ）、所見入力処理部３０３は、検査終了時刻を内部メモリに一時記録し、検査結果選択画面を表示する（Ｓ５１２）。この時点で、音声認識による所見入力が不可となり、音声の録音を終了する。
【００９２】
検査結果選択画面の一例を図２６に示す。図２６を参照して、検査結果選択画面には、担当医を入力する欄７５１と、「異常なし」または「観察不十分」を選択するための欄７５２，７５３と、登録完了ボタン７５５とが設けられている。登録完了ボタン７５５が選択されると、内部メモリに記憶されていた検査結果データ、すなわち、所見入力データおよび時間データと、担当医データとが、タブレット３自身の検査結果記憶部３５４に登録される（Ｓ５１３）。また、予約患者記憶部３５３内の対応の予約患者データに、検査終了を示す情報を関連付けて記憶する。この処理が終わると、図１０に示すメインルーチンに戻る。なお、検査結果選択画面には、登録結果（検査結果データ）の自動送信を選択するための欄７５４が設けられていてもよい。
【００９３】
図１３のステップＳ５０５〜Ｓ５１１の処理が繰り返し行われた場合、所見入力データは、部位単位の個別所見データを含む。個別所見データは、典型的には、Ｓ５０７で選択された部位と、１つの病名と、１以上の性状分類およびそれに対応する類型とを含む。また、個別所見データは、一部の病名の場合を除き、診断名および処置名をさらに含む。一方、検査の結果、「異常なし」または「観察不十分」が選択された場合には、「異常なし」または「観察不十分」を示す所見入力データが記憶される。
【００９４】
（検査結果送信処理）
図１４は、検査結果送信処理を示すフローチャートである。
【００９５】
図１４を参照して、タブレット３の送信処理部３０４は、予約患者記憶部３５３に記憶された複数の予約患者データのうち、問診表の入力が済んだ患者の予約患者データのみを読み出して、タッチパネル３８に患者一覧画面を表示する（Ｓ６０１）。患者一覧画面の一例を図２７に示す。図２７を参照して、患者一覧画面には、患者一覧表７６１と、患者の全てを選択するための選択欄７６２と、送信ボタン７６３とが示されている。患者一覧表７６１は、図１７に示した患者一覧表７１１と同じ項目（検査、予約日時、患者ＩＤ、氏名、性別、年齢、および生年月日）を含み、各行に、選択欄が設けられている。
【００９６】
検査が済んだ患者の少なくとも一人が選択され（Ｓ６０２）、送信ボタン７６３が選択されると（Ｓ６０３）、送信処理部３０４は、検査結果記憶部３５４から選択された患者の検査結果データを読み出す（Ｓ６０４）。検査結果データは、図７に示したように、患者ＩＤと対応付けられており、問診入力データ、所見入力データ、時間データ、および担当医データを含んでいる。読み出した検査結果データは、通信部３７を介して管理装置２に送信される（Ｓ６０５）。なお、検査結果データとともに、録音した音声データを送信してもよい。
【００９７】
管理装置２の登録処理部２０２は、検査結果データを受信すると（Ｓ６０６）、受信した検査結果データを検査結果データベース２４２に登録する（Ｓ６０７）。音声データも併せて受信した場合には、検査結果データベース２４２に、患者ＩＤと関連付けて音声データも記録してもよい。
【００９８】
タブレット３の送信処理部３０４は、送信した検査結果データを、検査結果記憶部３５４から消去してもよい（Ｓ６０８）。この処理が終わると、図１０のメインルーチンに戻る。
【００９９】
管理装置２の検査結果データベース２４２に検査結果データが登録されると、変更処理部２０３によって検査結果データの修正や、画像の追加等が行われる。その後、出力処理部２０４によって、検査終了後の患者の所見用紙が印刷される。プリンタ５から出力される所見用紙の一例を図２８に示す。
【０１００】
図２８を参照して、所見用紙の上部領域８１には、問診入力データに基づく患者情報と、使用した内視鏡装置１に関する情報とが示されている。中央領域８２には、タブレット３で音声入力された所見入力情報が示されている。中央領域８２には、所見が文字で示された所見欄８２ａと、所見対象の部位を示した大腸の模式図形８２ｂとが含まれる。所見用紙の下部領域８３には、管理装置２で入力された保険点数等の情報が示されている。
【０１０１】
以上説明したように、本実施の形態によれば、内視鏡装置１による大腸の検査が終了した時点で、所見入力も終わっているため、図９に示すように、患者は、検査終了後すぐに医師からの結果説明を受けることができる。また、問診表入力は、患者自身がタブレット３を用いて行うことができるため、従来のような紙ベースの問診表を用いる場合に比べて、医療従事者が問診表の回答を管理装置２等に後で入力する必要がない。したがって、内視鏡検査当日の、患者の待ち時間を短縮することができるとともに、医療従事者による手間を省くことができる。
【０１０２】
また、医師は、音声にて所見入力が可能であるため、内視鏡装置１の操作部１２を操作しながら、所見入力を行うことができる。なお、検査室内に、内視鏡装置１を操作中の検査医師以外に医療従事者がいるような場合には、他の医療従事者が、検査医師の音声に従ってタッチパネル３８を操作することによって、タブレット３への所見入力が行われてもよい。
【０１０３】
また、医師は、内視鏡装置１を用いた検査中に所見入力できるため、検査後に所見入力する場合に比べて、各部位について正確かつ詳細な所見を入力することができる。また、医師は、タッチパネル３８に表示された性状類型などの情報（用語）を選択するだけでよいため、統一された用語で簡易に所見を入力することができる。また、新人医師の所見入力を支援することもできる。
【０１０４】
また、性状分類、診断名、および処置名は、病名に関連付けられて記憶されているため、病名が選択されると、その病名に特有の情報のみが表示される。したがって、これらの情報の選択を行い易くすることができる。また、誤った所見を入力するリスクを低減することもできる。
【０１０５】
また、性状分類としては、必須入力項目だけでなく任意入力項目も表示されることで、必須情報だけでなく周辺情報も入力することができる。そのため、管理装置２の統計処理部２０５でのデータ分析も正確に行うことができる。
【０１０６】
なお、本実施の形態では、性状選択画面に、診断名および処置名の候補も表示することとしたが、性状選択画面とは別に、診断名選択画面や処置名選択画面を表示することとしてもよい。
【０１０７】
また、選択された部位または病名によっては、性状選択画面に、「範囲終了部位」の選択欄を追加してもよい。この場合、性状選択画面の範囲終了部位の選択欄には、部位選択画面で選択された部位よりも先端側に位置する部位名が表示される。たとえば、部位名選択画面で「下行結腸」が選択され、範囲終了部位の選択欄で「直腸」が選択された場合、所見入力データでは、１つの病名に対して複数の部位名が対応付けられてもよい。また、この場合、図２８に示したような所見用紙の所見欄（中央領域８２）には、「下行結腸から直腸にかけて、・・・」と示されてもよい。
【０１０８】
また、支援情報記憶部３５２に記憶される支援情報は、少なくとも部位名データ、病名データおよび性状データを含んでいればよい。つまり、診断名および処置名の入力は、管理装置２側で行ってもよい。
【０１０９】
また、本実施の形態では、病名に対して、性状、診断名および処置名が関連付けられて記憶されていたが、病名自体も部位名に対して関連付けられていてもよい。たとえば、「内痔核」は、部位が「肛門」の場合にのみ表示されるようにしてもよい。これにより、選択された部位に対して表示される病名の数を減らすことができるため、病名を選択し易くすることができる。また、病名選択画面の文字のフォントを大きくすることもできる。
【０１１０】
また、本実施の形態では、音声によって所見入力するものとしたが、タッチパネル３８の操作（操作部３３）によって所見入力されてもよい。つまり、タブレット３に、マイクロフォン３１および音声入力部３２が含まれなくてもよい。
【０１１１】
また、タブレット３と内視鏡装置１とも通信可能であってもよい。この場合、内視鏡装置１の画像記録装置１４に記録された画像の一部を、検査中にタブレット３に取り込めるようにしてもよい。このようにすることで、検査終了後の管理装置２での検査結果データの変更・追加処理の時間をさらに短縮することができる。
【０１１２】
また、本実施の形態では、所見入力支援装置がタブレット端末により実現されることとしたが、限定的ではない。たとえば、所見入力支援装置は、図２９に示されるように、タブレット端末３Ａと、頭部装着型（ウェアラブル）端末３Ｂとで構成されてもよい。この場合、タブレット端末３Ａのタッチパネル３８Ａには、上記したタッチパネル３８と同様の画面が表示され、頭部装着型端末３Ｂの小型表示部３８Ｂには、タッチパネル３８Ａに表示される画面の一部が表示されてもよい。頭部装着型端末３Ｂを用いた場合、内視鏡装置１のモニタ１３から目を離すことなく所見入力を行うことができる。なお、この場合、上記したマイクロフォン３１および音声入力部３２の機能は、頭部装着型端末３Ｂに含まれてもよい。
【０１１３】
なお、本実施の形態では、管腔臓器の例として大腸を挙げて説明したが、胃や気管等、他の臓器の内視鏡検査においても本システムを適用することができる。
【０１１４】
今回開示された実施の形態はすべての点で例示であって制限的なものではないと考えられるべきである。本考案の範囲は上記した説明ではなくて実用新案登録請求の範囲によって示され、実用新案登録請求の範囲と均等の意味および範囲内でのすべての変更が含まれることが意図される。
【符号の説明】
【０１１５】
１  内視鏡装置、２  管理装置、３  所見入力支援装置（タブレット）、３Ａ  タブレット端末、３Ｂ  頭部装着型端末、５  プリンタ、１１  挿入部、１２，２１，３３  操作部、１３  モニタ、１４  画像記録装置、２０，３０  制御部、２２，３４  表示部、２３，３５  メモリ、２４  ハードディスク、２５，３６  計時部、２６，３７  通信部、２７  入出力部、３１  マイクロフォン、３２  音声入力部、３８，３８Ａ  タッチパネル、３８Ｂ  小型表示部、６１  部位名ファイル、６２  病名ファイル、６３  性状ファイル、６４  診断名ファイル、６５  処置名ファイル、６６  対応テーブル、２０１  送出処理部、２０２  登録処理部、２０３  変更処理部、２０４  出力処理部、２０５  統計処理部、２４１，３５３  予約患者記憶部、２４２  検査結果データベース、３０１  取得処理部、３０２  問診入力処理部、３０３  所見入力処理部、３０４  送信処理部、３５１  問診情報記憶部、３５２  支援情報記憶部、３５４  検査結果記憶部、ＳＹＳ  所見入力支援システム。
【図１】
0003194808.tif 000003
【図２】
0003194808.tif 000004
【図３】
0003194808.tif 000005
【図４】
0003194808.tif 000006
【図５】
0003194808.tif 000007
【図６】
0003194808.tif 000008
【図７】
0003194808.tif 000009
【図８】
0003194808.tif 000010
【図９】
0003194808.tif 000011
【図１０】
0003194808.tif 000012
【図１１】
0003194808.tif 000013
【図１２】
0003194808.tif 000014
【図１３】
0003194808.tif 000015
【図１４】
0003194808.tif 000016
【図１５】
0003194808.tif 000017
【図１６】
0003194808.tif 000018
【図１７】
0003194808.tif 000019
【図１８】
0003194808.tif 000020
【図１９】
0003194808.tif 000021
【図２０】
0003194808.tif 000022
【図２１】
0003194808.tif 000023
【図２２】
0003194808.tif 000024
【図２３】
0003194808.tif 000025
【図２４】
0003194808.tif 000026
【図２５】
0003194808.tif 000027
【図２６】
0003194808.tif 000028
【図２７】
0003194808.tif 000029
【図２８】
0003194808.tif 000030
【図２９】
0003194808.tif 000031